(57)【特許請求の範囲】
【請求項１】
荷物配達人が住居番号などを入力することができる操作部と、
各ロッカー・ボックスの識別番号データと高さ位置データ、各ロッカー・ボックスの荷物保管中データ及び特定の高さ位置のロッカー・ボックスのみを利用する居住人（以下、「高さ位置限定利用居住人」という。）の住居番号データと高さ位置限定内容データを記憶する記憶部と、
操作部から入力された住居番号と高さ位置限定利用居住人の住居番号とを照合し、もし同一でなければ、荷物保管中データから空のロッカー・ボックスを１つ選定し、他方、もし同一であれば、その高さ位置限定利用居住人の高さ位置限定内容デ−タから利用可能なロッカー・ボックスであって、かつ、空のロッカーボックスを１つ選定し、次いで、選択したロッカー・ボックスの識別番号データを出力する制御部と、
制御部から出力されたロッカー・ボックスの識別番号データに基づき、そのロッカー・ボックスの位置を案内するロッカー・ボックス位置案内手段と、
を備えた荷物等自動管理ロッカー装置。
【発明の詳細な説明】
【発明が属する技術分野】
本発明は、荷物等自動管理ロッカー装置に関する。
【０００２】
【従来の技術】
お届け荷物の受け渡し用の複数のロッカー・ボックスを備え、集合住宅などの居住人が不在等の時でも、宅配荷物などのお届け、保管が無人でもって行える荷物等自動管理ロッカー装置が知られている。
【０００３】
すなわち、荷物配達業者がお届け先である集合住宅などの居住人に直接手渡しできない時に、操作部から住居番号などを入力すると、ロッカー制御部が指定し電気錠を自動的に解錠した空のロッカー・ボックスの扉を荷物配達人が開き、そのロッカー・ボックスの中にお届け荷物を置き、扉を閉じると自動的に電気錠が施錠される荷物等自動管理ロッカー装置である。この荷物等自動管理ロッカー装置によれば、無人でもって、お届け荷物等のお届け、保管を行うことができる。その後に、いわゆる着荷案内あるいは着荷通知によって、それぞれの居住人は自分宛に届けられたお届け荷物の有無などを知らされ、所定の居住人確認手続を経て、そのお届け荷物を受け取るものである。
【０００４】
荷物等自動管理ロッカー装置は、集合住宅などのエントランス近くに設置され、ロッカー・ボックスは垂直方向に何段にも積み重ねられている。
【０００５】
【発明が解決しようとする課題】
しかしながら、最上段のロッカー・ボックスに保管されているお届け荷物を取り出すことは、高齢者、身障者等の居住人にとっては困難であったり、あるいは不可能である。そのため、自分宛のお届け荷物が保管されているにもかかわらず、ロッカー・ボックスから取り出し、受け取ることができないという問題がある。また、高齢者、身障者等の居住人が無理をして最上段のロッカー・ボックスに保管されているお届け荷物を取り出して、けがをするという問題がある。
【０００６】
そこで、本発明の目的は、高齢者、身障者等が無理なく安全にお届け荷物を取り出し、受け取ることができる荷物等自動管理ロッカー装置を提供するにある。
【０００７】
【課題を解決するための手段】
本発明に係る荷物等自動管理ロッカー装置のうち請求項１に係るものは、荷物配達人が住居番号などを入力することができる操作部と、各ロッカー・ボックスの識別番号データと高さ位置データ、各ロッカー・ボックスの荷物保管中データ及び「高さ位置限定利用居住人」の住居番号データと高さ位置限定内容データを記憶する記憶部と、操作部から入力された住居番号と高さ位置限定利用居住人の住居番号とを照合し、もし同一でなければ、荷物保管中データから空のロッカー・ボックスを１つ選定し、他方、もし同一であれば、その高さ位置限定利用居住人の高さ位置限定内容デ−タから利用可能なロッカー・ボックスであって、かつ、空のロッカーボックスを１つ選定し、次いで、選択したロッカー・ボックスの識別番号データを出力する制御部と、制御部から出力されたロッカー・ボックスの識別番号データに基づき、そのロッカー・ボックスの位置を案内するロッカー・ボックス位置案内手段と、を備えている。
【０００８】
【発明の実施の形態】
以下、本発明の実施形態について、図面を参照して説明する。
【０００９】
図１は、本発明の実施形態の荷物等自動管理ロッカー装置の正面図である。大きさの異なるロッカー・ボックス２，３，６，７，８，９が３種類、計１６個ある。
【００１０】
ロッカー・ボックスの情報は図２に示すとおりであり、識別番号００１から０１６が割り当てられて、ロッカー・ボックスの扉２１，８１，９１に表面に貼り付けられている表示番号は、Ｓ１〜Ｓ１０，Ｍ１３，Ｍ１４，Ｌ１５及びＬ１６である。各ロッカー・ボックスの大きさはＳサイズ、Ｍサイズ及びＬサイズに分類され、それぞれ、１，２及び３の値で表わされる。さらに、各ロッカー・ボックスの高さ位置は、ロッカー・ボックスの底板の高さ位置を基準に分類され、最上段、中段上、中段下及び最下段があり、それぞれ、１，２，３及び４の値が割り当てられている。このロッカー・ボックス情報は、荷物等自動管理ロッカー装置を共同住宅に設置した時に、荷物等自動管理ロッカー装置の記憶部に予め入力され記憶されている。そして、荷物等自動管理ロッカー装置の設置を変更するごとに、ロッカー・ボックス情報は変更される。
【００１１】
各ロッカー・ボックスは天板、右側板、左側板、背板及び底板により直方体空間を囲み、前面は、右側板の前辺で、その右端を軸支し、その左端近くに電気錠２２，８２，９２を取り付けた、直方板状の扉２１，８１，９２によって、開閉自在に囲まれている。
【００１２】
各ロッカー・ボックスの内部には不図示の光センサが配置されており、お届け荷物がロッカー・ボックス内に収納され、扉が閉まり電気錠が施錠された後にも、お届け荷物が光センサーの光線を遮断するので、電気錠の施錠信号、タイマ、光センサを組み合わせることにより、ロッカー・ボックス内に荷物が保管されていることを検知できる。
【００１３】
本実施形態の荷物等自動管理ロッカー装置１は、集合玄関機５０を含んでいる。図８は、集合玄関機５０の拡大図である。集合住宅の各住居内のインターホンを選択的に呼出すために、住居番号入力装置５１の具体例としてテンキーと呼出しボタンを用いるが、住居番号の入力途中で取り消すために取消ボタンも設けてある。次いで、通話するために、マイクロホン５２とスピーカ５３が組み込まれている。オートロックドアーを備えている集合住宅においては、集合玄関機に、居住人識別装置（具体例として、カードリーダー５４、逆マスターキー挿入穴５５、キーセンサー、暗証番号入力装置）を組み込むのが望ましい。必要に応じて、配達人や来訪者の顔を確認するためにＣＣＤカメラ、不審人によるいたずらを防止するために人体センサーを、または配達人、来訪者や居住人に操作手順やメッセージを表示するディスプレーを組み込んでも良い。また、人体センサーとディスプレーとを合わせて組み込むことによって、人が近づいたらメニューを自動表示するようにしても良い。
【００１４】
さらに、本実施形態の荷物等自動管理ロッカー装置は、操作部４０を含んでいる。図４は、操作部４０の拡大図である。住居番号や暗証番号を入力するための操作キー４１、配達人や居住人に操作手順やメッセージを表示するディスプレー４２、受取り印を押すべき伝票を挿入したり、あるいは居住人が宅配荷物等を発送する時に、認印として使用するための伝票挿入口４３と捺印ボタン４４、識別カードを読み取るカードリーダー４５、料金を支払うためのコイン投入口４６が組み込まれている。本実施形態と異なり、捺印ボタンを設けないで、伝票挿入口４３に伝票を挿入すると、自動的に捺印する構造に変更しても良い。なお、ディスプレー４２と案内のためのスピーカーを併用しても良い。
【００１５】
次に、本実施形態の荷物等自動管理ロッカー装置の操作及び動作について説明する。図５〜６は、本実施形態の荷物等自動管理ロッカー装置を用いて、荷物配達人がお届け荷物をロッカー・ボックス内に保管する際の操作及び動作を示すフローチャート図である。
【００１６】
ステップＳＴＰ２５において、荷物等自動管理ロッカー装置へお届け可能か否かを判断する。お届け可能であれば、ステップＳＴＰ１１へ進む。
【００１７】
ステップＳＴＰ２５の判断の結果、無条件にお届け可能ではない場合には、次のとおり操作する。荷物配達人は、集合玄関機からお届け先の居住人の住居番号をテンキーにより入力し、その居住人の住居内のインターホンを呼び出す。その居住人が在宅であり、荷物を受け取ることができる状態であれば、その居住人の判断により、その居住人の住居内のオートドア開のボタンを押して、オートドアを開き、荷物配達人が居住人専用区域内への入ることを許して、その居住人の住居のドア近くでお届け荷物を手渡しで受け取り、配達伝票などに押印または署名して、お届け荷物の配達及び受け取りが完了する。一方、その居住人が不在である場合、すなわち、一定時間内にその居住人がインターホンの受話器を取らない場合には、自動的に荷物等自動管理ロッカー装置をお届け荷物受け取り可能状態にし、図５におけるステップＳＴＰ２５に戻る。また、その居住人がインターホンの受話器を取ったが、荷物を受け取ることができない状態である場合には、その居住人の住居内の自動荷物受け取り可能ボタンをその居住人が押して、荷物等自動管理ロッカー装置をお届け荷物受け取り可能状態にし、図５におけるステップＳＴＰ２５に戻る。
【００１８】
本実施形態と異なり、常に荷物等自動管理ロッカー装置を荷物受け取り可能状態として、荷物配達人が集合玄関機から居住人を呼び出すことなしに、荷物等自動管理ロッカー装置にお届け荷物を保管するように変更してもよい。
【００１９】
ステップＳＴＰ１０においては、荷物等自動管理ロッカー装置の記憶装置に予め入力されている居住人高さ位置限定データと今回操作部のテンキーから入力された住居番号とを照合して高さ位置限定があるか否かを判断する。
【００２０】
居住人高さ位置限定データは図２に示すとおりである。データの内容は集合住宅の管理組合の総会による承認を得ているものであり、集合住宅の大多数の居住人の同意を得たものである。住居番号２０１，４０５，８０３の居住人は、高さ位置が１すなわち最上段のロッカー・ボックスを使用せず、高さ位置が２から４すなわち、中段上、中段下及び最下段のロッカー・ボックスを使用するようにしてある。住居番号４０７の居住人は、高さ位置が１及び２、すなわち、、最上段と中段上のロッカー・ボックスを使用せず、高さ位置が３及び４、すなわち、中段下と最下段のロッカー・ボックスを使用するように設定してある。
【００２１】
一方、高さ位置限定利用居住人以外の一般の居住人は、高さ位置限定利用居住人が使用しないロッカ−・ボックスのみを利用するのが原則である。しかし、これらのロッカ−・ボックスがすべて使用中である場合には、一般の居住人であっても、高さ位置限定利用居住人が使用できる高さ位置のロッカ−・ボックスを使用することができる。
【００２２】
以下、居住番号２０１の居住人宛のお届け荷物を例として操作及び動作を説明する。
【００２３】
住居番号２０１は高さ位置が２から４の限定があるので、ステップＳＴＰ１０で有と判断し、ステップＳＴＰ１１へ進む。
【００２４】
ステップＳＴＰ１１においては、限定以外のロッカー・ボックスであって、かつ、荷物を保管していないロッカー・ボックスについて、荷物保管中データを０から２へと変更する。一方、限定以外のロッカー・ボックスであっても、荷物を保管中のロッカー・ボックスについては、荷物保管中データを１のまま維持する。
【００２５】
なお、初期ロッカー・ボックス情報は図２に示すように、識別番号、表示番号、大きさ、高さ位置のデータが各ロッカー・ボックスに用意されている。高さ位置のデータの値は１，２，３または４のいずれかであり、ロッカー・ボックスの底板の位置を基準として、１は最上段、２は中段上、３は中段下、４は最下段を表わしている。また、大きさのデータの値は、１，２または３のいずれかであり、１はＳサイズ、２はＭサイズ、３はＬサイズを表わしている。表示番号は各ロッカー・ボックスの扉の表面に表示されている記号である。また、識別番号は荷物等自動管理ロッカー装置の制御部が各ロッカー・ボックスを特定、識別するための重複のない番号である。
【００２６】
住宅番号２０１へのお届け荷物の例においては、高さ位置のデータの値が１であるロッカー・ボックス００１，００２，００３，００４，００５及び００６のうち、荷物保管中データが０であるロッカー・ボックスを抽出して、荷物保管中データを０から２へと変更する。他方、荷物保管中データが１であるロッカー・ボックスについては何も処理を行わない。
【００２７】
ステップＳＴＰ１１の処理を実行した結果、高さ位置のデータの値が１であるロッカー・ボックスについては、荷物保管中データの値は１または２となり、０であるものはない。すなわち、実際に荷物を保管しているロッカー・ボックスについては荷物保管中データの値が１であり、実際は空であるが荷物の収納を拒否しているロッカー・ボックスについては、値が２である。
【００２８】
次に、ステップＳＴＰ１２においては、荷物等自動管理ロッカー装置の操作部からボックス・サイズを入力する。Ｓサイズであれば１を、Ｍサイズであれば２を、そして、Ｌサイズであれば３を入力する。例えば、ボックス・サイズとして１を入力した場合について、以下、説明する。
【００２９】
ステップＳＴＰ１３において、収納可能なサイズのロッカー・ボックスの中から空のロッカー・ボックスを１つ選定する。
【００３０】
荷物等自動管理ロッカー装置の制御部が選定した空のロッカー・ボックスの電気錠を解錠し（ステップＳＴＰ１４）、ほぼ同時にロッカー・ボックスの外表面に設けたランプを点滅させるなどして、荷物配達人に解錠されているロッカー・ボックスの位置を知らせる（ステップＳＴＰ１５）。
【００３１】
続いて、ランプが点滅しているロッカー・ボックスを荷物配達人は見付け出して、そのロッカー・ボックスの扉を手で開け、お届け荷物をそのロッカー・ボックスの中に置き、扉を手で閉じる（ステップＳＴＰ１６）。
【００３２】
扉が閉まっていることを扉センサなどにより検知した後に、各ロッカー・ボックス内に設置された荷物センサによって、そのロッカー・ボックス内に荷物が有ることを検知すると（ステップＳＴＰ１７）、電気錠を施錠し、ステップＳＴＰ１８へ進み、今回、空であるにもかかわらず、荷物の保管ができないと設定してあるロッカー・ボックスの荷物保管中データの値を２から０に戻すとともに、今回、荷物を収納したロッカー・ボックスについて、荷物保管中データを０から１に変更する（ステップＳＴＰ１８）。
【００３３】
そして、今回、収納した荷物に関連してお届け先の住居番号、荷物を収納した日時などのデータを荷物等自動管理荷物等自動管理ロッカー装置の記憶部に記憶してお届け荷物の収納、保管の操作及び動作を終了する（ステップＳＴＰ１９）。
【００３４】
【発明の効果】
請求項１に係る荷物等自動管理荷物等自動管理ロッカー装置によれば、予め高さ位置限定の対象となっている住居番号のデータ及び高さ位置限定の内容のデータを記憶部に記憶させておき、お届け荷物を保管しようとして住居番号の入力があった時に、入力された住居番号と高さ位置限定された住居番号とを比較し、同一でなければ空のロッカー・ボックスから１つを選定し、他方、同一であれば、高さ位置限定以外の空のロッカー・ボックスを仮想的に収納不可とし、高さ位置限定の範囲内で、かつ、空のロッカー・ボックスから１つを選定するものであるから、高さ位置限定を行っている住居の居住人宛の荷物は予め設定した高さのロッカー・ボックスに保管され、荷物の取り出しが楽であり安全であるという効果がある。
【図面の簡単な説明】
【図１】本発明の実施形態の荷物等自動管理荷物等自動管理ロッカ−装置の正面図である。
【図２】本実施形態におけるロッカー・ボックスの情報を示す図表である。
【図３】本実施形態における高さ位置限定利用居住人の情報を示す図表である。
【図４】本発明の実施形態の荷物等自動管理荷物等自動管理ロッカ−装置における操作部の正面図である。
【図５】本実施形態の荷物等自動管理荷物等自動管理ロッカ−装置の操作及び動作を示すフロ−チャ−ト図である。
【図６】本実施形態の荷物等自動管理荷物等自動管理ロッカ−装置の操作及び動作を示すフロ−チャ−ト図である。
【図７】本実施形態の荷物等自動管理荷物等自動管理ロッカ−装置の操作及び動作を示すフロ−チャ−ト図である。
【図１】
0003631544.tif 000002
【図２】
0003631544.tif 000003
【図３】
0003631544.tif 000004
【図４】
0003631544.tif 000005
【図５】
0003631544.tif 000006
【図６】
0003631544.tif 000007
【図７】
0003631544.tif 000008